(57)【要約】【課題】過去の異常と同一の原因によって発生したと推定される異常が発生した場合に、記録された内容をもとに運転員に適切な操作ガイダンスを提示する。【解決手段】プラント状態収集装置２はプラント運転中に変化するプラントプロセスデータ１を収集し、プラント状態記録データ３は収集されたプラントプロセスデータ１を記録し、監視・操作項目判定装置４はプラント異常発生時に運転員が監視・操作画面上で確認した監視項目や操作内容を判定し、監視・操作データ５は監視・操作項目を記録し、プラント状態照合装置６はプラント状態記録データ３に記録されているデータ内容を比較照合し、ガイダンス編集装置７はプラント状態照合装置６による照合結果に基づき、対応する監視・操作項目を監視・操作データ５から読み出しガイダンス情報を編集し、ガイダンス表示装置８はガイダンス情報を運転員に提示する。【選択図】図１
2008269267.tif 000002
【特許請求の範囲】
【請求項１】
プラント運転中に変化するプラントプロセスデータを収集するプラント状態収集装置と、収集されたプラントプロセスデータを記録するプラント状態記録データと、プラント異常発生時に運転員が監視・操作画面上で確認した監視項目や操作内容を判定する監視・操作項目判定装置と、上記監視・操作項目を記録した監視・操作データと、上記プラント状態記録データに記録されているデータ内容を比較照合するプラント状態照合装置と、上記プラント状態照合装置による照合結果に基づき、対応する監視・操作項目を上記監視・操作データから読み出しガイダンス情報を編集するガイダンス編集装置と、上記ガイダンス情報を運転員に提示するガイダンス表示装置とを備えたことを特徴とするプラント運転支援システム。
【請求項２】
プラント運転中に変化するプラントプロセスデータを収集するプラント状態収集装置と、収集されたプラントプロセスデータを記録するプラント状態記録データと、上記プラント状態記録データに基づいて過去にプラント異常警報が発生した時と同様の時系列変化があったかを判定する異常予兆判定装置を備えたことを特徴とするプラント運転支援システム。
【請求項３】
プラント運転中に変化するプラントプロセスデータを収集するプラント状態収集装置と、収集されたプラントプロセスデータを記録するプラント状態記録データと、プラント異常発生時に運転員が監視・操作画面上で確認した監視項目や操作内容を判定する監視・操作項目判定装置と、上記監視・操作項目を記録した監視・操作データと、上記プラント状態記録データに基づいて過去にプラント異常警報が発生した時と同様の時系列変化があったかを判定する異常予兆判定装置と、上記異常予兆判定装置による判定結果に基づき、対応する監視・操作項目を上記監視・操作データから読み出しガイダンス情報を編集するガイダンス編集装置と、上記ガイダンス情報を運転員に提示するガイダンス表示装置とを備えたことを特徴とするプラント運転支援システム。
【請求項４】
プラント運転中に変化するプラントプロセスデータを収集するプラント状態収集装置と、収集されたプラントプロセスデータを記録するプラント状態記録データと、プラント異常発生時に運転員が監視・操作画面上で確認した監視項目や操作内容を判定する監視・操作項目判定装置と、上記監視・操作項目を記録した監視・操作データと、上記プラント状態記録データに基づいて過去のプラント異常警報発生時のプラント状態を模擬的に設定するプラント状態模擬装置と、上記プラント状態模擬装置が設定したプラント状態に基づき、対応する監視・操作項目を上記監視・操作データから読み出しガイダンス情報を編集するガイダンス編集装置と、上記ガイダンス情報を運転員に提示するガイダンス表示装置とを備えたことを特徴とするプラント運転支援システム。
【発明の詳細な説明】
【技術分野】
【０００１】
この発明は、例えば発電プラントの運転を支援するためのプラント運転支援システムに関するものであり、特にプラントに異常が発生した際、運転員がプラント状態を確認するとともに、復旧操作をすることができるように支援するためのプラント運転支援システムに関するものである。
【背景技術】
【０００２】
従来の発電プラントのガイダンス提供システムにおいては、プラントエンジニアリングコンサルティング装置が予め保持しているプラントエンジニアリングデータに基づいて、発電プラントの運転および保守に関するガイダンスを出力しているものがあった（特許文献１参照）。
【０００３】
【特許文献１】特開２００２−１５５７０８号公報
【発明の開示】
【発明が解決しようとする課題】
【０００４】
従来の発電プラントのガイダンス提供システムは以上のように構成されているので、プラントの運転および保守に関するガイダンスを出力するために、プラントエンジニアリングデータを予め設定しておく必要があった。また、複数の要因による異常発生時においては、プラントエンジニアリングデータを予め設定しておくことが困難であるなどの問題点があった。
【０００５】
この発明は上記のような課題を解決するためになされたものであり、プラントの異常発生時に運転員が確認した事項や操作内容を記録しておき、過去の異常と同一の原因によって発生したと推定される異常が発生した場合に、記録された内容をもとに運転員に適切な操作ガイダンスを提示することができるプラント運転支援システムを提供することを目的とする。
【課題を解決するための手段】
【０００６】
この発明に係るプラント運転支援システムは、プラント運転中に変化するプラントプロセスデータを収集するプラント状態収集装置と、収集されたプラントプロセスデータを記録するプラント状態記録データと、プラント異常発生時に運転員が監視・操作画面上で確認した監視項目や操作内容を判定する監視・操作項目判定装置と、監視・操作項目を記録した監視・操作データと、プラント状態記録データに記録されているデータ内容を比較照合するプラント状態照合装置と、プラント状態照合装置による照合結果に基づき、対応する監視・操作項目を監視・操作データから読み出しガイダンス情報を編集するガイダンス編集装置と、ガイダンス情報を運転員に提示するガイダンス表示装置とを備えたものである。
【発明の効果】
【０００７】
この発明に係るプラント運転支援システムによれば、プラント運転中に変化するプラントプロセスデータを収集するプラント状態収集装置と、収集されたプラントプロセスデータを記録するプラント状態記録データと、プラント異常発生時に運転員が監視・操作画面上で確認した監視項目や操作内容を判定する監視・操作項目判定装置と、監視・操作項目を記録した監視・操作データと、プラント状態記録データに記録されているデータ内容を比較照合するプラント状態照合装置と、プラント状態照合装置による照合結果に基づき、対応する監視・操作項目を監視・操作データから読み出しガイダンス情報を編集するガイダンス編集装置と、ガイダンス情報を運転員に提示するガイダンス表示装置とを備えたので、当該プラントでの過去の経験に基づいた適切な運転支援を行うことができる。
【発明を実施するための最良の形態】
【０００８】
実施の形態１．
以下、この発明の一実施形態を図に基づいて説明する。図１はこの発明の実施の形態１によるプラント運転支援システムを示すブロック構成図であり、図において、プラント運転中に時々刻々変化するプラントプロセスデータ１は、プラント状態収集装置２に入力されている。
【０００９】
そして、このプラントプロセスデータ１に基づいてプラント状態記録データ３は、プラント状態収集装置２により時々刻々記録される。また、監視・操作項目判定装置４は、プラントの異常発生時に運転員が監視・操作画面上でどのような監視項目を確認したかを判定するとともに、どのような操作項目に該当する操作器等を操作したかを判定するものであり、監視・操作データ５は、監視・操作項目判定装置４により判定された監視・操作項目データをプラントの異常発生時におけるプラントプロセスデータ１の時系列変化と結び付けて記録するものである。
【００１０】
プラント状態照合装置６は、プラント状態記録データ３に時系列的に記録されているプラントプロセスデータ１の内容の比較照合を行うものである。ガイダンス編集装置７は、監視・操作データ５に基づいて警報発生時に運転員に提示する監視・操作項目等のガイダンス情報を編集するものであり、ガイダンス表示装置８はこのガイダンス情報を運転員に提示するものである。
【００１１】
次に動作について説明する。プラント運転中に時々刻々変化する圧力・温度等の各計測点におけるデータ、すなわちプラントプロセスデータ１は、プラント状態収集装置２に入力される。これらのプラントプロセスデータ１は、一定周期毎にプラント状態記録データ３として記録される。
【００１２】
プラント異常時に警報が発生した際、運転員は監視操作画面において、当該異常に関連するプラントプロセスデータ１を示したトレンドグラフや系統図等で状態を確認しつつ、プラント状態の復旧に必要な操作を行う。
【００１３】
このとき運転員が監視操作画面上で確認した項目や操作した操作器を、監視・操作項目判定装置４が判定し、それらの監視・操作項目を監視・操作データ５として、そのときのプラントプロセスデータ１とともに時系列的に記録する。
【００１４】
その後、プラント異常時に新たに警報が発生した際、まずプラント状態照合装置６はプラント状態記録データ３より、過去のある時点から新たな警報発生時点までの一定期間の時系列プラントプロセスデータ１を取り出し、プラント状態記録データ３において、過去にそのデータと同様の時系列変化があったかどうかを照合する。
【００１５】
ここで、同様の時系列変化があったかどうかの比較照合は、プラントプロセスデータ１毎に予め一定の閾値(上限、下限)を設けておき、比較の対象となる双方のデータがその閾値の範囲内にあるかどうかを判定することにより行う。
【００１６】
判定の結果、過去に同様の時系列変化があったと判定された場合は、ガイダンス編集装置７は、過去において当該時系列変化後に運転員が監視・操作した項目を監視・操作データ５から読み出し、該当する監視・操作項目に対応する画面を特定し、その画面を表示するようにガイダンス表示装置８に要求する。ガイダンス表示装置８は、ガイダンス編集装置７から要求された画面を表示し、運転員に提示する。
【００１７】
このように、実施の形態１においては、プラント異常時に警報が発生した際、警報発生前の一定期間のプラントプロセスデータ１の推移と同様の推移が過去にあったかどうかをプラント状態照合装置６が比較照合し、過去に同様の推移があった場合は、過去の異常と同様の原因によって異常が発生したと推定し、そのとき運転員はどのような監視項目を監視し、更に操作器等を操作したかを運転員に提示するようにしたので、当該プラントでの過去の経験に基づいた適切な運転支援を行うことができる。
【００１８】
実施の形態２．
図２はこの発明の実施の形態２によるプラント運転支援システムを示すブロック構成図である。上記実施の形態１においては、当該プラントにおいて実際に警報が発生した場合の運転員に対する運転支援について述べたが、本実施形態においては、異常予兆判定装置１１及び予兆警報表示装置１２を設けたものである。
【００１９】
プラント運転中に時々刻々変化する圧力・温度等の各計測点におけるデータ、すなわちプラントプロセスデータ１は、プラント状態収集装置２に入力される。これらのプラントプロセスデータ１は、一定周期毎にプラント状態記録データ３として記録される。
【００２０】
そしてプラント異常警報が実際に発生していない状態においても、異常予兆判定装置１１はプラント状態記録データ３から直近の過去のある時点までの一定期間の時系列データを取り出し、そのデータがプラント状態記録データ３においてさらに過去にプラント異常警報が発生したときと同様の時系列変化があったかどうかを、上記実施の形態１と同様の手段により照合する。
【００２１】
判定の結果、過去にプラント異常警報が発生したときと同様の時系列変化があったと判定された場合は、予兆警報表示装置１２は異常発生の予兆がある旨を表示し、運転員へ通知する。
【００２２】
このように、実施の形態２においては、直近の過去の一定期間のプラントプロセスデータ１の推移と同様の推移が過去にあったかどうかを異常予兆判定装置１１が比較照合し、過去にプラント異常警報が発生したときと同様の推移があったと判定された場合は、予兆警報表示装置１２が異常発生の予兆がある旨を表示し、運転員へ通知するため、プラントの安定的な運転を行うことができるようになる。
【００２３】
実施の形態３．
図３はこの発明の実施の形態３によるプラント運転支援システムを示すブロック構成図である。上記実施の形態２においては、当該プラントにおいて異常が発生する予兆がある旨を運転員に通知する場合について述べたが、本実施形態においては、上記実施の形態１の場合と同様に、ガイダンス編集装置７は監視・操作データ５に基づいて、警報が発生された場合と同様のガイダンス情報を編集し、ガイダンス表示装置８はこのガイダンス情報を運転員に提示するものである。
【００２４】
プラント運転中に時々刻々変化する圧力・温度等の各計測点におけるデータ、すなわちプラントプロセスデータ１は、プラント状態収集装置２に入力される。これらのプラントプロセスデータ１は、一定周期毎にプラント状態記録データ３として記録される。
【００２５】
プラント異常時に警報が発生した際、運転員は監視操作画面において、当該異常に関連するプラントプロセスデータ１を示したトレンドグラフや系統図等で状態を確認しつつ、プラント状態の復旧に必要な操作を行う。
【００２６】
このとき運転員が監視操作画面上で確認した項目や操作した操作器を、監視・操作項目判定装置４が判定し、それらの監視・操作項目を監視・操作データ５として、そのときのプラントプロセスデータ１とともに時系列的に記録する。
【００２７】
そしてプラント異常警報が実際に発生していない状態においても、異常予兆判定装置１１はプラント状態記録データ３から直近の過去のある時点までの一定期間の時系列データを取り出し、そのデータがプラント状態記録データ３においてさらに過去にプラント異常警報が発生したときと同様の時系列変化があったかどうかを、上記実施の形態１と同様の手段により照合する。
【００２８】
判定の結果、過去にプラント異常警報が発生したときと同様の時系列変化があったと判定された場合は、ガイダンス編集装置７は、過去において当該時系列変化後に運転員が監視・操作した項目を監視・操作データ５から読み出し、該当する監視・操作項目に対応する画面を特定し、その画面を表示するようにガイダンス表示装置８に要求する。ガイダンス表示装置８は、ガイダンス編集装置７から要求された画面を表示し、運転員に提示する。
【００２９】
これにより、異常発生の予兆がある場合においても、その復旧に向けての監視・操作に関するガイダンスを運転員に提示できるので、より効果的なプラントの安定運転を行うことができるようになる。
【００３０】
実施の形態４．
図４はこの発明の実施の形態４によるプラント運転支援システムを示すブロック構成図である。上記実施の形態１においては、当該プラントにおいて実際に警報が発生した場合の運転員に対する運転支援について述べたが、本実施形態においては、プラント状態照合装置６の代わりにプラント状態模擬装置４１を設けたものである。
【００３１】
プラント運転中に時々刻々変化する圧力・温度等の各計測点におけるデータ、すなわちプラントプロセスデータ１は、プラント状態収集装置２に入力される。これらのプラントプロセスデータ１は、一定周期毎にプラント状態記録データ３として記録される。
【００３２】
プラント異常時に警報が発生した際、運転員は監視操作画面において、当該異常に関連するプラントプロセスデータ１を示したトレンドグラフや系統図等で状態を確認しつつ、プラント状態の復旧に必要な操作を行う。
【００３３】
このとき運転員が監視操作画面上で確認した項目や操作した操作器を、監視・操作項目判定装置４が判定し、それらの監視・操作項目を監視・操作データ５として、そのときのプラントプロセスデータ１とともに時系列的に記録する。
【００３４】
そしてプラント状態模擬装置４１は、プラント状態記録データ３に基づいて過去のプラント異常警報発生時のプラント状態を模擬的に設定し、更に上記実施の形態１の場合と同様に、ガイダンス編集装置７は監視・操作データ５に基づいて、警報が発生された場合と同様のガイダンス情報を編集し、ガイダンス表示装置８はこのガイダンス情報を運転員に提示するものである。
【００３５】
これにより、当該プラントにおいて実際に警報が発生していない場合でも、過去の警報発生時のプラント状態を模擬的に設定し、あわせてその復旧に向けての監視・操作のガイダンスを運転員に提示できるので、当該プラントの実機の特性や挙動に基づいた運転員の教育訓練を効果的に行うことができる。
【図面の簡単な説明】
【００３６】
【図１】この発明の実施の形態１によるプラント運転支援システムを示すブロック構成図である。
【図２】この発明の実施の形態２によるプラント運転支援システムを示すブロック構成図である。
【図３】この発明の実施の形態３によるプラント運転支援システムを示すブロック構成図である。
【図４】この発明の実施の形態４によるプラント運転支援システムを示すブロック構成図である。
【符号の説明】
【００３７】
１  プラントプロセスデータ、２  プラント状態収集装置、
３  プラント状態記録データ、４  監視・操作項目判定装置、５  監視・操作データ、
６  プラント状態照合装置、７  ガイダンス編集装置、８  ガイダンス表示装置、
１１  異常予兆判定装置、４１  プラント状態模擬装置。
【図１】
2008269267.tif 000003
【図２】
2008269267.tif 000004
【図３】
2008269267.tif 000005
【図４】
2008269267.tif 000006